(57)【要約】【課題】洗い場のスペースを狭くすることなく、使い勝手もよく、さらに、施工が簡単な浴室用収納容器を提供。【解決手段】棚２０は、手すり１６が取り付けられている浴室壁面１４と、浴室壁面１４に沿って延伸している手すり１６との間に設置される。棚２０は、上記手すり１６と、浴室壁面１４とによって支持される。【選択図】図２
2008086459.tif 000002
【特許請求の範囲】
【請求項１】
手すりが取り付けられている取付面と該取付面に沿って延伸している前記手すりとの間に設置され、
前記取付面に支持される背面部材と、
前記手すりに支持される手すり側部材と、
前記背面部材と手すり側部材とを連結し被収納物を支持可能な支持部材とを含むことを特徴とする浴室用収納容器。
【請求項２】
前記手すり側部材は、前記手すりの形状に沿った部位を有し、該部位を前記手すりに上方から被せることによって、前記手すりに支持されることを特徴とする請求項１に記載の浴室用収納容器。
【請求項３】
前記部位を前記手すりに被せた状態において、
前記背面部材の上端で前記取付面に接触する上端接触点から前記手すりまでの距離は、前記取付面から前記手すりまでの距離より長く、
これによって、落下が防止されることを特徴とする請求項２に記載の浴室用収納容器。
【請求項４】
前記背面部材および手すり側部材は、前記手すりに沿って移動可能に支持されていることを特徴とする請求項２または３に記載の浴室用収納容器。
【請求項５】
前記背面部材は、前記取付面に設けられた掛止部を有し、
前記取付面に設けられた掛合部に前記掛止部が掛止されることによって前記背面部材は支持されることを特徴とする請求項１から４までのいずれかに記載の浴室用収納容器。
【請求項６】
前記手すりの断面は略円形状であり、その直径が２８〜４０ｍｍ、取付面から前記断面の中心までの距離が４５〜１５０ｍｍ、浴室床面から前記断面の中心までの高さが５００〜１０００ｍｍであることを特徴とする請求項１から５までのいずれかに記載の浴室用収納容器。
【発明の詳細な説明】
【技術分野】
【０００１】
本発明は、浴室に設置される浴室用収納容器に関するものである。
【背景技術】
【０００２】
従来、シャンプーやリンスなど浴室で用いられる備品の収納手段は、例えば、特許文献１（特開２００１−３５３０９２号公報）に記載のように、洗い場のカウンタに関連して設けられるものが多い。また、例えば特許文献２（特開２００２−２２３９７６号公報）に記載のように、鏡や水栓と一体化した収納キャビネット等も開示されている。さらに、特許文献３（特開２００５−２２４５４０号公報）に記載のように、浴室壁面を加工して収納手段を設ける方法も提案されている。
【特許文献１】特開２００１−３５３０９２号公報
【特許文献２】特開２００２−２２３９７６号公報
【特許文献３】特開２００５−２２４５４０号公報
【発明の開示】
【発明が解決しようとする課題】
【０００３】
しかし、特許文献１のように、洗い場に設けられたカウンタに関連して設けられる収納手段は、人が洗面器等を置くカウンタ上のスペースを少なくしてしまいがちである。また、特許文献２のように、浴室の鏡等と一体化した収納キャビネットは、少スペース化の点では優れているものの、設置場所の高さが適切とは言いがたく、使い勝手の面で問題が残る。さらに、特許文献３のような壁面を加工する方法は、施工が大掛かりでコストがかかってしまう。
【０００４】
本発明はこのような課題に鑑み、洗い場のスペースを狭くすることなく、使い勝手もよく、さらに、施工が簡単な浴室用収納容器を提供することを目的とする。
【課題を解決するための手段】
【０００５】
本発明による浴室用収納容器は、上述の課題を解決するために、手すりが取り付けられている取付面と取付面に沿って延伸している手すりとの間に設置され、取付面に支持される背面部材と、手すりに支持される手すり側部材と、背面部材および手すり側部材を連結し被収納物を支持可能な支持部材とを含むことを特徴とする。これによって、取付面と手すりとの間の空間を、収納スペースとして有効利用可能である。
【０００６】
また、上述の手すり側部材は、手すりの形状に沿った部位を有し、この部位を手すりに上方から被せることによって、手すりに支持されることとしてよい。これにより、手すりのうち、収納容器を支持する部分と、それ以外の部分との形状は実質的に同様となり、手すりを把持する人の違和感を抑え、さらに美観を損ねない効果が期待できる。
【０００７】
また、手すりの形状に沿った上述の部位を手すりに被せた状態において、背面部材の上端で取付面に接触する上端接触点から手すりまでの距離は、取付面から手すりまでの距離より長くしてよい。これにより、収納容器が手すりの軸方向の周りに回転するのを規制し、収納容器の落下が防止される。
【０００８】
また、背面部材および手すり側部材は、手すりに沿って移動可能に支持されていることとしてよい。これにより、収納容器は使用者の好みの位置へ簡便に移動可能である。
【０００９】
また、背面部材は掛止部を有し、取付面に設けられた掛合部に掛止部が掛止されることによって、背面部材は支持されることとしてよい。これにより、収納容器の落下は一層確実に防止されることとなる。
【００１０】
上述の手すりの断面は略円形状であり、その直径が２８〜４０ｍｍ、取付面から上記断面の中心までの距離が４５〜１５０ｍｍ、浴室床面から上記断面の中心までの高さが５００〜１０００ｍｍとしてよい。このような、壁からの距離が大きな手すりに用いることによって、本発明による収納容器は、十分な収納スペースを確保できる。
【発明の効果】
【００１１】
本発明によれば、手すりが突出することによりデッドスペースと化していた空間を収納容器として有効利用可能であり、洗い場のスペースを狭くすることがない。また、洗面器等を置くためのカウンタとは別に設けられるため、カウンタ上のスペースを狭くすることもない。
【００１２】
本発明による収納容器は、上述のような、人間が把持しやすい位置まで突出していて、さらに適度な高さに設置されている手すりに支持されることにより、人間の手が届きやすく、使い勝手がよい。
【００１３】
本発明による収納容器は、手すり上に簡単に設置可能で大掛かりな施工を必要とせず、また、人間の体重を支持可能な手すりによって支持されるために、強度、安定性の面でも非常に優れている。
【発明を実施するための最良の形態】
【００１４】
次に添付図面を参照して本発明による浴室用収納容器の実施例を詳細に説明する。各図面において、本発明に直接関係のない要素は図示を省略する。また、同様の要素は同一の参照符号を用いて説明するものとする。
【００１５】
（第１の実施形態）
図１は本発明による浴室用収納容器の第１の実施形態である棚を適用した浴室の概略図である。本発明の実施形態である棚２０は、浴室１０の洗い場１２に面していて手すり１６が取り付けられている浴室壁面１４と、浴室壁面１４に沿って延伸している手すり１６との間に設置されている。このように、手すり１６が突出してデッドスペースと化していた空間を、収納容器として有効利用可能である。
【００１６】
なお、手すり１６が取り付けられる面は、浴室壁面１４に限られず、浴室１０内に実質的に垂直に設けられたいずれの面に取り付けられていてもよい。例えばカウンタ１５の厚みを増大させて、これに手すりを取り付けてもよい。その場合、カウンタ１５と手すりとの間に棚が設けられることとなる。
【００１７】
図２は図１に示す棚２０の拡大図であり、図３は図２に示す棚の三面図である。棚２０は、概略直方体の収納容器であり、浴室壁面１４に支持される背面部材２２と、手すり側部材２８とを含む。手すり側部材２８は後述のように、手すり１６に支持される部材である。棚２０はさらに、背面部材２２および手すり側部材２８を連結し、シャンプーなどの被収納物を支持可能な支持部材２４を含む。かかる概略直方体の収納容器を構成することによって、浴室壁面１４と手すり１６との間の空間を、収納スペースとして有効利用可能である。
【００１８】
浴室壁面１４には、背面部材２２を浴室壁面１４に固定するための２つのグロメット３４Ａ、３４Ｂが設けられている。背面部材２２は、水平なプレート２２Ａと、これに隣接した傾斜プレート２２Ｂと、さらにこれに隣接した垂直なプレート２２Ｃと、プレート２２Ａ〜２２Ｃの両側に配置された垂直な横プレート２２Ｄ、２２Ｅとで構成され、浴室壁面１４に面する側にはプレートがなく開口している。グロメット３４Ａ、３４Ｂは、背面部材２２の開口している部分から同部材の内側に案内され、プレート２２Ａを掛止する。これによって、背面部材２２は浴室壁面１４に固定される。グロメットの数は２つに限られるものではなく、１つ以上であればいくつでもよい。グロメットが１つだけの場合は、背面部材２２の中央でプレート２２Ａを掛止するよう設けるのが、棚２０の安定上、好ましい。
【００１９】
手すり側部材２８は、円筒形の手すり１６の形状に沿った部位３０を有し、部位３０を手すり１６に上方から被せることによって、手すりに支持されることとしてよい。これにより、手すり１６のうち、収納容器を支持する部分（部位３０が被さった部分）と、それ以外の部分との形状は実質的に同様となり、手すり１６を把持する人の違和感を抑え、さらに美観を損ねない効果が期待できる。
【００２０】
上述の手すり側部材２８の部位３０は、研磨仕上げをするのが好ましい。手すり１６に被さり、手すり１６に当接するため、表面が粗いと当接した跡が残ってしまうからである。
【００２１】
なお手すりの形状は、本願に記載の実施形態では円柱形状であるが、かかる形状に限られないのは言うまでもない。例えば多角柱形状にしてもよく、その場合は、部位３０の形状も、手すりの形状に沿って変化させればよい。
【００２２】
上述の手すりは、略円形状の断面を有し、その直径が２８〜４０ｍｍ、浴室壁面から上記断面の中心までの距離が４５〜１５０ｍｍ、浴室床面から上記断面の中心までの高さが５００〜１０００ｍｍとしてよい。このような、壁からの距離が大きな手すりに用いることによって、本発明による収納容器は、十分な収納スペースを確保できる。
【００２３】
棚２０を浴室壁面１４に固定する際には、手すり側部材２８の部位３０を手すり１６上に被せるとともに、グロメット３４Ａ、３４Ｂに、背面部材２２のプレート２２Ａを掛止させればよい。このように、棚２０は、簡便な設置方法によって、前方の手すり側部材２８にて手すり１６に支持され、後方の背面部材２２にて浴室壁面１４に支持され、安定的に固定される。また、かかる簡便な設置方法であることにより、棚２０は、浴室１０内の他の要素と干渉しない限り、自由に着脱し、手すり１６のいかなる位置にも移動して設置可能である。
【００２４】
棚２０には、背面部材２２のプレート２２Ｄ、２２Ｅから、手すり側部材２８まで、被収納物落下防止用のガードバー３８Ａ、３８Ｂが差し渡されている。また、ガードバー３８Ａ、３８Ｂの下部には、それぞれ排水口３６Ａ、３６Ｂが開口されている。これにより、棚２０は、浴室において水を浴びても排水可能である一方、ガードバー３８Ａ、３８Ｂによって、シャンプー等の被収納物が落下することはない。
【００２５】
棚２０は、浴室における腐食防止のためステンレススチール製とするのが好ましいが、アルマイトやポリプロピレン樹脂、ポリエチレン樹脂など他の材料で成形してもよい。
【００２６】
図３の中央の平面図に示すように、支持部材２４には縦横に配列された矩形孔４０を設けてよい。矩形孔４０は、排水口として機能するとともに、支持部材２４に載置された被収納物が石鹸のヌメリ等で滑りやすくなるのを防止する滑り防止機能を有する。
【００２７】
図４は、図２に示す棚２０を、手すりの延伸方向に向かって見た側面図である。図４に示すように、手すり側部材２８のうち、手すり１６の形状に沿った部位３０を手すり１６に被せた状態において、背面部材２２の上端で浴室壁面１４に接触する上端接触点４１から手すり１６までの距離Ｄ１は、浴室壁面１４から手すり１６までの距離より長くするとよい。これにより、上端接触点４１が浴室壁面１４にひっかかり、棚２０が手すり１６の軸周り（図４の矢印４３で示す反時計回り方向）に重力によって回転するのを規制する。すなわち、棚２０の落下が防止される。なお、背面部材２２は浴室壁面１４に上端接触点４１という１点で接触しているのではなく、上端接触点４１を手すり１６の軸方向に延長した線分によって接触していることは言うまでもない。
【００２８】
棚２０は、このような寸法を有することによって、グロメット３４Ａ、３４Ｂなどの、浴室壁面１４に対する固定手段を敢えて設けなくとも、浴室壁面に支持可能である。
【００２９】
（第２の実施形態）
図５は本発明による浴室用収納容器の第２の実施形態である棚を示す図である。なお図５のうち図２と共通の要素は、同一の参照符号によって示すものとする。棚構造５０は、下棚５８と上棚６０とを結合した構造である。下棚５８は、その背面部材５９が１枚のプレートでできている点で図２に示す背面部材２２と異なるが、それ以外は図２に示す棚２０と同様の構成を有する。上棚６０は、下棚５８の両側から垂直方向に延伸している横部材５６Ａ、５６Ｂによって支持されていて、下棚２０と同様の構成を有する。ただし、手すり１６に支持されるのは棚５８であるため、上棚６０は、手すり側部材２８の部位３０に相当するものを有する必要がない。
【００３０】
また、棚構造５０を構成する棚５８、６０は、いずれも、図２に示すグロメット３４Ａ、３４Ｂのような掛止具を必要としない。棚構造５０は上述のように２段構造になっていて、上棚６０の上端で浴室壁面１４に接触する上端接触点から手すり１６までの距離は、浴室壁面１４から手すり１６までの距離より十分に長く、図３で説明した落下防止は十分に達成されるからである。
【００３１】
このように、棚を垂直方句に複数段重ねる棚構造とすることにより、より多くの被収納物を収納可能な棚が実現できる。棚の数はいくつであってもよい。また、本実施形態では、手すり１６に支持される棚は最下部の棚５８としたが、複数段重ねられた棚構造のうち、いずれの棚が手すり１６に支持される構造としてもよい。
【００３２】
上記のように、本実施形態に示す棚構造は、収容力を増すだけでなく、棚を浴室にレイアウトするときの自由度も増すこととなる。さらに、手すり１６に支持される部位３０または手すり側部材２８全体を、棚５８から着脱可能な構成とすれば、手すり１６に支持される棚を、複数段重ねられた棚のうちから自由に選択できる。これにより、手すりの上方および下方に棚が何段ずつ連なるかを自由に決定でき、さらに棚のレイアウトの自由度が増す。
【００３３】
（第３の実施形態）
図６は本発明による浴室用収納容器の第３の実施形態である棚を示す図である。図６のうち図２と共通する要素については同一の参照符号で示して説明を省略し、図２と異なる点のみ、以下説明する。本実施形態である棚６５の特徴は、背面部材６３（図５の背面部材５９と同様に１枚のプレートでできている）に２つの固定用孔６７Ａ、６７Ｂを設け、これを通して２つのボルト６９Ａ、６９Ｂを浴室壁面１４に捻り込むことによって棚６５を固定する点である。固定用孔６７Ａ、６７Ｂは、図６に示すように、上下の大小径の貫通孔で構成される瓢箪型の形状を有する。ボルト６９Ａ、６９Ｂの頭部は固定用孔６７Ａ、６７Ｂの下側の大径孔に挿入され、ボルト６９Ａ、６９Ｂの軸部が上側の小径孔に嵌合することによって固定される。
【００３４】
ボルト６９Ａ、６９Ｂは、浴室壁面１４に対して完全に捻り込み、背面部材２２が浴室壁面１４に対して固着されるようにしてもよいが、固定用孔６７Ａ、６７Ｂが上述の瓢箪型の形状を有しているため、ボルト６９Ａ、６９Ｂの頭部に引っ掛けるだけでも、棚６５を壁面に支持させることが可能である。
【００３５】
また、上記のように、ボルト６９Ａ、６９Ｂの頭部に引っ掛けるだけの設置方式によれば、棚６５の着脱が容易になることは言うまでもない。
【００３６】
（第４の実施形態）
図７は本発明の第４の実施形態である棚７０の図である。図７のうち図２と共通する要素については同一の参照符号で示して説明を省略し、図２と異なる点のみ、以下説明する。本実施形態である棚７０の特徴は、棚７０を浴室壁面１４に支持させるための掛止部７２を、背面部材７１（図５、図６の背面部材５９、６３と同様に１枚のプレートでできている）に設けたことである。掛止部７２は背面部材７１の上端の壁面１４側に沿って設けられた細長い四角柱形状のリブであり、浴室壁面１４に向かって突出していて、材質は棚７０と同等のものとしてよい。また、棚７０と掛止部７２とが同一の金属である場合には、例えば、溶接によって背面部材２２に被着させればよい。
【００３７】
一方、浴室壁面１４には、掛合部７４が設けられる。掛合部７４は、直方体状に浴室壁面１４に加工された溝であり、掛止部７２を収容して背面部材２２を浴室壁面１４に当接させるだけの奥行き寸法を有する。
【００３８】
これら掛止部７２と掛合部７４とを掛止させることによって、棚７０は、浴室壁面１４に支持される。また、かかる支持構造を設ければ、背面部材７１が高いことにより回転が規制される、図４にて説明した棚の落下防止方式に加えて、より確実に棚の落下が防止される。
【００３９】
なお、本実施形態では、棚７０に、突出する掛止部７２を設け、浴室壁面１４に、溝状の掛合部７４を備えることとしているが、突出部と溝との関係は、逆にしてもよいことは言うまでもない。すなわち、浴室壁面１４から棚７０に向かって突出する部材と、背面部材７１に加工した溝とを掛止させることとしてもよい。
【００４０】
また、かかる支持構造によれば、棚７０を手すり１６に沿って簡便に左右移動可能である。本実施形態では、グロメットやボルトといった固定用治具を必要とせず、棚７０は、手すり１６および浴室壁面１４の両方に対して、上方から被せるという簡便な操作のみで、支持されることとなるからである。
【００４１】
（第５の実施形態）
図８は本発明の第５の実施形態である棚８０の図である。図８のうち図２と共通する要素については同一の参照符号で示して説明を省略し、図２と異なる点のみ、以下説明する。第５の実施形態である棚８０の特徴は、シャンプーなどの被収納物を支持可能な支持部材８４（図２の支持部材２４に相当）を、手すり１６の半径に相当する長さ分、水平方向に延長し、さらに下降させて手すり１６の形状に沿った部位８２を設け、この部位８２を手すり１６に被せて棚８０を支持することである。なお、棚８０は、図２に示したガードバー３８Ａ、３８Ｂに相当する部材を有しないが、シャンプーボトルなどの被収納物は、水平な支持部材２４上にて安定的に保持することが可能である。
【００４２】
棚８０の利点は、その収納面積の広さである。図２の棚２０と比較すると、棚２０にて被収納物を支持する支持部材２４は、図４に示すように、距離Ｄ２の右端（手すり側部材２８の位置）まで被収納物を収納できる。一方、棚８０の支持部材８４は、さらに手すり１６の半径の長さに相当する位置まで水平方向に延長されているため、当該位置まで被収納物を収納でき、収納面積が広いことが明らかである。
【００４３】
（第６の実施形態）
図９は本発明の第６の実施形態である棚９０の図である。図９のうち図２と共通する要素については同一の参照符号で示して説明を省略し、図２と異なる点のみ、以下説明する。第６の実施形態である棚９０の特徴は、シャンプーなどの被収納物を支持可能な支持部材９４（図２の支持部材２４に相当）を、手すり１６の直径に相当する長さ分、水平方向に延長し、その先端に垂直なプレート９２を接続してＴ字型の断面をなすようにし、このプレート９２を手すり１６に被せて棚９０を支持することである。なお、棚９０も、図２に示したガードバー３８Ａ、３８Ｂに相当する部材を有しないが、被収納物は、水平な支持部材９４上にて安定的に保持することが可能である。
【００４４】
棚９０の利点も、その収納面積の広さにある。図２の棚２０の支持部材２４と比較すると、棚９０の支持部材９４は、手すり１６の直径の長さに相当する位置まで水平方向に延長されているため、当該位置まで被収納物を収納でき、収納面積が広いことが明らかである。また、図８の棚８０の支持部材８４と比較しても、支持部材９４の収納面積は、手すり１６の半径の長さに相当する長さ分、拡張されている。
【００４５】
なお、第６の実施形態では、プレート９２が手すり１６の形状に沿っていないため、手すり１６のうち棚９０が設置された場所を把持する人は違和感を感じるおそれがある。しかし、棚９０を、図１に示す水栓１７の真上でなく、例えば水栓１７に向かって左側に移動させて設置すれば、棚９０が設置された場所を入浴者が把持することを回避できる。
【００４６】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は、浴室に設置される浴室用収納容器として利用可能である。
【図面の簡単な説明】
【００４８】
【図１】本発明による浴室用収納容器の第１の実施形態である棚を適用した浴室の概略図である。
【図２】図１に示す棚の拡大図である。
【図３】図２に示す棚の三面図である。
【図４】図２に示す棚の側面図である。
【図５】本発明の第２の実施形態である棚の図である。
【図６】本発明の第３の実施形態である棚の図である。
【図７】本発明の第４の実施形態である棚の図である。
【図８】本発明の第５の実施形態である棚の図である。
【図９】本発明の第６の実施形態である棚の図である。
【符号の説明】
【００４９】
１０  浴室
１４  浴室壁面
１６  手すり
２０、５０、６５、７０、８０  棚
２４、８４、９４  支持部材
２８  手すり側部材
３４Ａ、３４Ｂ  グロメット
３６Ａ、３６Ｂ  排水口
３８Ａ、３８Ｂ  ガードバー
４０  矩形孔
５８  下棚
６０  上棚
【図１】
2008086459.tif 000003
【図２】
2008086459.tif 000004
【図３】
2008086459.tif 000005
【図４】
2008086459.tif 000006
【図５】
2008086459.tif 000007
【図６】
2008086459.tif 000008
【図７】
2008086459.tif 000009
【図８】
2008086459.tif 000010
【図９】
2008086459.tif 000011